【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
固定係合部（３３０）を有し、流体通路（２）を形成する弁ボディ（３０）と、
前記流体通路の開度を増減する絞り弁体（１０）と、
可動係合部（５２８）を有し、前記絞り弁体と一体回転する回転体（５２５）と、
第１フック部（５３１）及び第２フック部（５３２）の間にコイル部（５３３）を有する捩じりコイルばね（５３）と、
前記コイル部を径方向内側からガイドするガイド体（５２６）とを、備え、
駆動力の消失により前記回転体がデフォルト位置（Ｌｄ）に定位するとき、前記第１フック部と前記第２フック部とはそれぞれ、前記固定係合部及び前記可動係合部のうち少なくとも１つずつに係合し、前記駆動力の発生により前記回転体が前記デフォルト位置から回転するとき、前記第１フック部と前記第２フック部とはそれぞれ、前記固定係合部及び前記可動係合部のうち一方と他方とに係合し、
前記第１フック部及び前記第２フック部の少なくとも一方に押し当たり、前記コイル部のコイル中心線方向の中央に向けて押当力を付与する押当部（８１，８１Ａ，８１Ｂ，８１Ｃ，８１Ｄ，８１Ｅ，８２，８２Ａ，８２Ｂ，８２Ｃ，８２Ｄ，８２Ｅ，８４，８４Ａ，８４Ｂ）を備え、
前記押当部のうち前記第１フック部または前記第２フック部に押し当たる押当面（８１２，８２２，８４２）は、前記コイル中心線方向における前記コイル部の端面（５３５ａ，５３６ａ）よりも前記中央の側に位置する絞り弁装置。
【請求項２】
前記押当部のうち前記第１フック部または前記第２フック部に押し当たる押当面（８１２，８２２，８４２）は、前記コイル部の径方向中心から遠ざかるにつれ前記中央に近づく向きに傾斜したテーパ形状である請求項１に記載の絞り弁装置。
【請求項３】
固定係合部（３３０）を有し、流体通路（２）を形成する弁ボディ（３０）と、
前記流体通路の開度を増減する絞り弁体（１０）と、
可動係合部（５２８）を有し、前記絞り弁体と一体回転する回転体（５２５）と、
第１フック部（５３１）及び第２フック部（５３２）の間にコイル部（５３３）を有する捩じりコイルばね（５３）と、
前記コイル部を径方向内側からガイドするガイド体（５２６）とを、備え、
駆動力の消失により前記回転体がデフォルト位置（Ｌｄ）に定位するとき、前記第１フック部と前記第２フック部とはそれぞれ、前記固定係合部及び前記可動係合部のうち少なくとも１つずつに係合し、前記駆動力の発生により前記回転体が前記デフォルト位置から回転するとき、前記第１フック部と前記第２フック部とはそれぞれ、前記固定係合部及び前記可動係合部のうち一方と他方とに係合し、
前記第１フック部及び前記第２フック部の少なくとも一方に押し当たり、前記コイル部のコイル中心線方向の中央に向けて押当力を付与する押当部（８１，８１Ａ，８１Ｂ，８１Ｃ，８１Ｄ，８１Ｅ，８２，８２Ａ，８２Ｂ，８２Ｃ，８２Ｄ，８２Ｅ，８４，８４Ａ，８４Ｂ）を備え、
前記押当部のうち前記第１フック部または前記第２フック部に押し当たる押当面（８１２，８２２，８４２）は、前記コイル部の径方向中心から遠ざかるにつれ前記中央に近づく向きに傾斜したテーパ形状である絞り弁装置。
【請求項４】
前記第１フック部または前記第２フック部の回転領域に配置され、前記コイル部の一部を前記中央に向けて前記コイル中心線方向に押し上げる押上部（８３）を備える請求項１〜３のいずれか１つに記載の絞り弁装置。
【請求項５】
固定係合部（３３０）を有し、流体通路（２）を形成する弁ボディ（３０）と、
前記流体通路の開度を増減する絞り弁体（１０）と、
可動係合部（５２８）を有し、前記絞り弁体と一体回転する回転体（５２５）と、
第１フック部（５３１）及び第２フック部（５３２）の間にコイル部（５３３）を有する捩じりコイルばね（５３）と、
前記コイル部を径方向内側からガイドするガイド体（５２６）とを、備え、
駆動力の消失により前記回転体がデフォルト位置（Ｌｄ）に定位するとき、前記第１フック部と前記第２フック部とはそれぞれ、前記固定係合部及び前記可動係合部のうち少なくとも１つずつに係合し、前記駆動力の発生により前記回転体が前記デフォルト位置から回転するとき、前記第１フック部と前記第２フック部とはそれぞれ、前記固定係合部及び前記可動係合部のうち一方と他方とに係合し、
前記第１フック部及び前記第２フック部の少なくとも一方に押し当たり、前記コイル部のコイル中心線方向の中央に向けて押当力を付与する押当部（８１，８１Ａ，８１Ｂ，８１Ｃ，８１Ｄ，８１Ｅ，８２，８２Ａ，８２Ｂ，８２Ｃ，８２Ｄ，８２Ｅ，８４，８４Ａ，８４Ｂ）を備え、
前記第１フック部または前記第２フック部の回転領域に配置され、前記コイル部の一部を前記中央に向けて前記コイル中心線方向に押し上げる押上部（８３）を備える絞り弁装置。
【請求項６】
前記可動係合部または前記固定係合部には、前記第１フック部または前記第２フック部が嵌まって係合する溝（５２８ａ，５２８ｂ）が形成され、
前記押当部のうち前記第１フック部または前記第２フック部に押し当たる押当面（８１２，８２２，８４２）が、前記溝の内壁面に形成されている請求項１〜５のいずれか１つに記載の絞り弁装置。
【請求項７】
固定係合部（３３０）を有し、流体通路（２）を形成する弁ボディ（３０）と、
前記流体通路の開度を増減する絞り弁体（１０）と、
可動係合部（５２８）を有し、前記絞り弁体と一体回転する回転体（５２５）と、
第１フック部（５３１）及び第２フック部（５３２）の間にコイル部（５３３）を有する捩じりコイルばね（５３）と、
前記コイル部を径方向内側からガイドするガイド体（５２６）とを、備え、
駆動力の消失により前記回転体がデフォルト位置（Ｌｄ）に定位するとき、前記第１フック部と前記第２フック部とはそれぞれ、前記固定係合部及び前記可動係合部のうち少なくとも１つずつに係合し、前記駆動力の発生により前記回転体が前記デフォルト位置から回転するとき、前記第１フック部と前記第２フック部とはそれぞれ、前記固定係合部及び前記可動係合部のうち一方と他方とに係合し、
前記第１フック部及び前記第２フック部の少なくとも一方に押し当たり、前記コイル部のコイル中心線方向の中央に向けて押当力を付与する押当部（８１，８１Ａ，８１Ｂ，８１Ｃ，８１Ｄ，８１Ｅ，８２，８２Ａ，８２Ｂ，８２Ｃ，８２Ｄ，８２Ｅ，８４，８４Ａ，８４Ｂ）を備え、
前記可動係合部または前記固定係合部には、前記第１フック部または前記第２フック部が嵌まって係合する溝（５２８ａ，５２８ｂ）が形成され、
前記押当部のうち前記第１フック部または前記第２フック部に押し当たる押当面（８１２，８２２，８４２）が、前記溝の内壁面に形成されている絞り弁装置。
【請求項８】
前記溝は、前記回転体の回転に伴い前記第１フック部または前記第２フック部が前記溝から遠ざかるにつれ開口面積が徐々に大きくなる断面形状である請求項６または７に記載の絞り弁装置。
【請求項９】
前記押当部は、前記回転体に設けられた突起形状である請求項１〜５のいずれか１つに記載の絞り弁装置。
【請求項１０】
固定係合部（３３０）を有し、流体通路（２）を形成する弁ボディ（３０）と、
前記流体通路の開度を増減する絞り弁体（１０）と、
可動係合部（５２８）を有し、前記絞り弁体と一体回転する回転体（５２５）と、
第１フック部（５３１）及び第２フック部（５３２）の間にコイル部（５３３）を有する捩じりコイルばね（５３）と、
前記コイル部を径方向内側からガイドするガイド体（５２６）とを、備え、
駆動力の消失により前記回転体がデフォルト位置（Ｌｄ）に定位するとき、前記第１フック部と前記第２フック部とはそれぞれ、前記固定係合部及び前記可動係合部のうち少なくとも１つずつに係合し、前記駆動力の発生により前記回転体が前記デフォルト位置から回転するとき、前記第１フック部と前記第２フック部とはそれぞれ、前記固定係合部及び前記可動係合部のうち一方と他方とに係合し、
前記第１フック部及び前記第２フック部の少なくとも一方に押し当たり、前記コイル部のコイル中心線方向の中央に向けて押当力を付与する押当部（８１，８１Ａ，８１Ｂ，８１Ｃ，８１Ｄ，８１Ｅ，８２，８２Ａ，８２Ｂ，８２Ｃ，８２Ｄ，８２Ｅ，８４，８４Ａ，８４Ｂ）を備え、
前記押当部は、前記回転体に設けられた突起形状である絞り弁装置。
【請求項１１】
前記押当部は、前記第１フック部または前記第２フック部の回転領域の全体を含む範囲に設けられている請求項９または１０に記載の絞り弁装置。
【請求項１２】
前記押当部の少なくとも一部は、前記コイル中心線方向のうち前記コイル部の１巻目部分（５３５，５３６）が位置する領域（Ｗ１，Ｗ２）に配置されている請求項１〜１１のいずれか１つに記載の絞り弁装置。
【請求項１３】
前記押当部は、前記第１フック部に前記押当力を付与する第１押当部（８１，８１Ａ，８１Ｂ，８１Ｃ，８１Ｄ，８１Ｅ）及び前記第２フック部に前記押当力を付与する第２押当部（８２，８２Ａ，８２Ｂ，８２Ｃ，８２Ｄ，８２Ｅ）を有する請求項１〜１２のいずれか１つに記載の絞り弁装置。
【請求項１４】
前記第１押当部及び前記第２押当部は、前記可動係合部または前記固定係合部に設けられ、
前記回転体が前記デフォルト位置から一方側へ回転しているとき、前記第１フック部に前記第１押当部が押し当たるとともに前記第２フック部が前記第２押当部から離れ、
前記回転体が前記デフォルト位置から他方側へ回転しているとき、前記第２フック部に前記第２押当部が押し当たるとともに前記第１フック部が前記第１押当部から離れる請求項１３に記載の絞り弁装置。
【請求項１５】
固定係合部（３３０）を有し、流体通路（２）を形成する弁ボディ（３０）と、
前記流体通路の開度を増減する絞り弁体（１０）と、
可動係合部（５２８）を有し、前記絞り弁体と一体回転する回転体（５２５）と、
第１フック部（５３１）及び第２フック部（５３２）の間にコイル部（５３３）を有する捩じりコイルばね（５３）と、
前記コイル部を径方向内側からガイドするガイド体（５２６）とを、備え、
駆動力の消失により前記回転体がデフォルト位置（Ｌｄ）に定位するとき、前記第１フック部と前記第２フック部とはそれぞれ、前記固定係合部及び前記可動係合部のうち少なくとも１つずつに係合し、前記駆動力の発生により前記回転体が前記デフォルト位置から回転するとき、前記第１フック部と前記第２フック部とはそれぞれ、前記固定係合部及び前記可動係合部のうち一方と他方とに係合し、
前記第１フック部及び前記第２フック部の少なくとも一方に押し当たり、前記コイル部のコイル中心線方向の中央に向けて押当力を付与する押当部（８１，８１Ａ，８１Ｂ，８１Ｃ，８１Ｄ，８１Ｅ，８２，８２Ａ，８２Ｂ，８２Ｃ，８２Ｄ，８２Ｅ，８４，８４Ａ，８４Ｂ）を備え、
前記押当部は、前記第１フック部に前記押当力を付与する第１押当部（８１，８１Ａ，８１Ｂ，８１Ｃ，８１Ｄ，８１Ｅ）及び前記第２フック部に前記押当力を付与する第２押当部（８２，８２Ａ，８２Ｂ，８２Ｃ，８２Ｄ，８２Ｅ）を有し、
前記第１押当部及び前記第２押当部は、前記可動係合部または前記固定係合部に設けられ、
前記回転体が前記デフォルト位置から一方側へ回転しているとき、前記第１フック部に前記第１押当部が押し当たるとともに前記第２フック部が前記第２押当部から離れ、
前記回転体が前記デフォルト位置から他方側へ回転しているとき、前記第２フック部に前記第２押当部が押し当たるとともに前記第１フック部が前記第１押当部から離れる絞り弁装置。
【手続補正２】
【補正対象書類名】明細書
【補正対象項目名】０００９
【補正方法】変更
【補正の内容】
【０００９】
ここに開示された第１、第２、第３、第４、第５および第６の絞り弁装置は、
固定係合部（３３０）を有し、流体通路（２）を形成する弁ボディ（３０）と、
流体通路の開度を増減する絞り弁体（１０）と、
可動係合部（５２８）を有し、絞り弁体と一体回転する回転体（５２５）と、
第１フック部（５３１）及び第２フック部（５３２）の間にコイル部（５３３）を有する捩じりコイルばね（５３）と、
コイル部を径方向内側からガイドするガイド体（５２６）とを、備え、
駆動力の消失により回転体がデフォルト位置（Ｌｄ）に定位するとき、第１フック部と第２フック部とはそれぞれ、固定係合部及び可動係合部のうち少なくとも１つずつに係合し、駆動力の発生により回転体がデフォルト位置から回転するとき、第１フック部と第２フック部とはそれぞれ、固定係合部及び可動係合部のうち一方と他方とに係合し、
第１フック部及び第２フック部の少なくとも一方に押し当たり、コイル部のコイル中心線方向の中央に向けて押当力を付与する押当部（８１，８１Ａ，８１Ｂ，８１Ｃ，８１Ｄ，８１Ｅ，８２，８２Ａ，８２Ｂ，８２Ｃ，８２Ｄ，８２Ｅ，８４，８４Ａ，８４Ｂ）を備える。
さらに第１の絞り弁装置では、押当部のうち第１フック部または第２フック部に押し当たる押当面（８１２，８２２，８４２）は、コイル中心線方向におけるコイル部の端面（５３５ａ，５３６ａ）よりも中央の側に位置する。
さらに第２の絞り弁装置では、押当部のうち第１フック部または第２フック部に押し当たる押当面（８１２，８２２，８４２）は、コイル部の径方向中心から遠ざかるにつれ中央に近づく向きに傾斜したテーパ形状である。
さらに第３の絞り弁装置では、第１フック部または第２フック部の回転領域に配置され、コイル部の一部を中央に向けてコイル中心線方向に押し上げる押上部（８３）を備える。
さらに第４の絞り弁装置では、可動係合部または固定係合部には、第１フック部または第２フック部が嵌まって係合する溝（５２８ａ，５２８ｂ）が形成され、押当部のうち第１フック部または第２フック部に押し当たる押当面（８１２，８２２，８４２）が、溝の内壁面に形成されている。
さらに第５の絞り弁装置では、押当部は、回転体に設けられた突起形状である。
さらに第６の絞り弁装置では、
押当部は、第１フック部に押当力を付与する第１押当部（８１，８１Ａ，８１Ｂ，８１Ｃ，８１Ｄ，８１Ｅ）及び第２フック部に押当力を付与する第２押当部（８２，８２Ａ，８２Ｂ，８２Ｃ，８２Ｄ，８２Ｅ）を有し、
第１押当部及び第２押当部は、可動係合部または固定係合部に設けられ、
回転体がデフォルト位置から一方側へ回転しているとき、第１フック部に第１押当部が押し当たるとともに第２フック部が第２押当部から離れ、
回転体がデフォルト位置から他方側へ回転しているとき、第２フック部に第２押当部が押し当たるとともに第１フック部が第１押当部から離れる。
【手続補正３】
【補正対象書類名】明細書
【補正対象項目名】００１０
【補正方法】変更
【補正の内容】
【００１０】
本発明者は、「第１フック部及び第２フック部の少なくとも一方をコイル中心線方向の中央に向けて押せば、捩じりコイルばねの螺旋角度に拘らずにコイル部の姿勢を矯正できる」といった知見を得た。この知見を鑑み、上記第１、第２、第３、第４、第５および第６の絞り弁装置は、第１フック部及び第２フック部の少なくとも一方に押し当たり、コイル中心線方向の中央に向けて押当力を付与する押当部を備えるので、コイル部の姿勢を矯正できる。しかも、コイル部を外周側から押す従来構造では最適角度で精度良く押すことが要求されるのに対し、上記第１、第２、第３、第４、第５および第６の絞り弁装置では、押当力を付与する向きを精度良くすることが不要になるので、コイル部の姿勢矯正を容易に実現できるようになる。
この明細書における開示された複数の態様は、それぞれの目的を達成するために、互いに異なる技術的手段を採用する。請求の範囲及びこの項に記載した括弧内の符号は、後述する実施形態の部分との対応関係を例示的に示すものであって、技術的範囲を限定することを意図するものではない。この明細書に開示される目的、特徴、及び効果は、後続の詳細な説明、及び添付の図面を参照することによってより明確になる。